(57)【特許請求の範囲】
【請求項１】
インクを吐出する吐出口面を有する記録ヘッドを搭載して移動するキャリッジと、
前記吐出口面をワイピングするワイパーと、
前記ワイパーを保持し前記キャリッジの移動に追従して、前記ワイパーにより前記吐出口面をワイピング可能なワイピング位置と前記吐出口面をワイピングできない退避位置とに移動可能なワイパーホルダと、
前記ワイパーホルダに配され、前記ワイパーホルダを前記ワイピング位置に保持する係止位置と前記ワイパーホルダの係止状態を解除する解除位置とに移動可能な係止部材と、を備え、
前記キャリッジが記録領域から第１の位置まで移動することによって前記係止部材が係合部と係合して前記係止位置に移動し、前記キャリッジが前記記録領域から前記第１の位置を越えて第２の位置へ移動することによって前記係合部との係合が解除されて前記係止部材が前記解除位置に移動するインクジェット記録装置であって、
前記係止部材に対して回転可能に設けられ、前記キャリッジが前記第２の位置から前記記録領域へ移動するときに、前記係止部材が前記解除位置から前記係止位置へ移動することを規制する規制部材を備えることを特徴とするインクジェット記録装置。
【請求項２】
前記規制部材は、前記キャリッジの移動方向と交差する面内で回転することを特徴とする請求項１に記載のインクジェット記録装置。
【請求項３】
前記キャリッジが前記記録領域から前記第１の位置へ移動する際に前記規制部材と当接する第１面と、前記キャリッジが前記第２の位置から前記記録領域へ移動する際に前記規制部材と当接する第２面と、を有する規制部を備えることを特徴とする請求項１または２に記載のインクジェット記録装置。
【請求項４】
前記キャリッジが前記第２の位置のとき、前記規制部材と前記規制部は当接しないことを特徴とする請求項３に記載のインクジェット記録装置。
【請求項５】
インクを吐出する吐出口面を有する記録ヘッドを搭載して移動するキャリッジと、
前記吐出口面をワイピングするワイパーと、
前記ワイパーを保持し前記キャリッジの移動に追従して、前記ワイパーにより前記吐出口面をワイピング可能なワイピング位置と前記吐出口面をワイピングできない退避位置とに移動可能なワイパーホルダと、
前記ワイパーホルダに配され、前記ワイパーホルダを前記ワイピング位置に保持する係止位置と前記ワイパーホルダの係止状態を解除する解除位置とに移動可能な係止部材と、を備え、
前記キャリッジが記録領域から第１の位置まで移動することによって前記係止部材が係合部と係合して前記係止位置に移動し、前記キャリッジが前記記録領域から前記第１の位置を越えて第２の位置へ移動することによって前記係合部との係合が解除されて前記係止部材が前記解除位置に移動するインクジェット記録装置であって、
前記係止部材に配される弾性変形部と、前記弾性変形部を弾性変形させる規制部と、を備え、前記規制部は、前記キャリッジが前記記録領域から前記第１の位置まで移動する際は前記弾性変形部を弾性変形させ、前記キャリッジが前記第２の位置から前記記録領域へ移動する際は前記弾性変形部の弾性変形を解除することで前記係止部材が前記解除位置から前記係止位置へ移動することを規制することを特徴とするインクジェット記録装置。
【請求項６】
前記ワイパーは、前記キャリッジが前記第１の位置から前記記録領域へ移動することによって前記吐出口面をワイピングすることを特徴とする請求項１ないし５のいずれか１項に記載のインクジェット記録装置。
【請求項７】
前記キャリッジに設けられ前記係止部材と当接可能な突出部を備え、
前記ワイピングが完了した後に前記突出部と前記係止部材が当接することによって、前記係止部材が前記係止位置から前記解除位置に移動することを特徴とする請求項６に記載のインクジェット記録装置。
【請求項８】
前記ワイパーホルダは、前記キャリッジに当接して移動するスライダであることを特徴とする請求項１ないし７のいずれか１項に記載のインクジェット記録装置。
【請求項９】
前記係止部材は、前記キャリッジの移動方向と交差する面内で前記係止位置と前記解除位置とに回転移動することを特徴とする請求項１ないし８のいずれか１項に記載のインクジェット記録装置。
【請求項１０】
前記係止部材を前記解除位置から前記係止位置へ移動するように付勢する付勢部材を備えることを特徴とする請求項１ないし９のいずれか１項に記載のインクジェット記録装置。
【請求項１１】
前記ワイパーホルダに配され前記吐出口面をキャッピングするためのキャップを備えることを特徴とする請求項１ないし１０のいずれか１項に記載のインクジェット記録装置。
【請求項１２】
前記キャリッジが前記第２の位置にあるときに、前記キャップにより前記吐出口面がキャッピングされることを特徴とする請求項１１に記載のインクジェット記録装置。
【発明の詳細な説明】
【技術分野】
【０００１】
本発明は、インクジェット記録装置に関し、詳しくは、インクを吐出する記録ヘッドの回復機構においてワイピング動作を選択的に切替えるための構成に関するものである。
【背景技術】
【０００２】
インクジェット記録装置における回復機構は、例えば、吐出口面を払拭するためのワイピング機構、吐出口面を覆うためのキャッピング機構、吐出口からインクを吸引するための吸引機構等を備えている。この回復機構の一構成として、記録ヘッドを搭載したキャリッジの移動に追従して所定の範囲内で移動可能なスライダを備え、このスライダにキャップおよびワイパーを設けた構成が知られている（特許文献１参照）。この従来構成は、装置に固定されたスライダベースに対してスライダが移動するものであり、このスライダの移動位置に応じて、ワイピング動作やキャッピング動作を行う。そして、この特許文献１に記載の回復機構は、スライダをワイピング位置などの所定の位置に固定するためのロックレバーの係止解除を行うための、スライダベースに対して揺動可能な係止解除部材を備えている。そして、スライダが、ワイパートリガがかかる位置を越える位置まで移動したときに、上記係止解除部材がスライダに設けられたロックレバーをワイパートリガのかからない位置へ移動させる。これにより、ワイピング動作の実行／非実行を選択的に切り替えることができ、不要なワイピング動作を回避することが可能としている。
【先行技術文献】
【特許文献】
【０００３】
【特許文献１】特開２０１３−６０００３号公報
【発明の概要】
【発明が解決しようとする課題】
【０００４】
しかしながら、特許文献１に記載の回復機構は、スライダベース側に係止解除部材を取り付けているため、この係止解除部材取り付け形状をスライダベース側に設ける必要がある。この場合に、スライダベースが外装部品でない場合は型構造の簡易化は比較的容易であるが、スライダと外装部品の間にスライダベース部品を設けることになり、装置サイズが増大してしまうという問題を生じる。一方、スライダベースを外装部品とする場合はインク漏れ等を防止するために穴形状等を設けることができず、アンダーカットが発生してしまうなど型構造が複雑化し、部品コストが増大してしまうという問題がある。
【０００５】
本発明は、係止解除を行う部材などの可動部材を、ワイパーを保持する部材側に設けた構成によってワイピング動作の有無を選択的に切り替えることを可能とするインクジェット記録装置を提供することを目的とする。
【課題を解決するための手段】
【０００６】
上記目的を達成するために本発明は、インクを吐出する吐出口面を有する記録ヘッドを搭載して移動するキャリッジと、前記吐出口面をワイピングするワイパーと、前記ワイパーを保持し前記キャリッジの移動に追従して、前記ワイパーにより前記吐出口面をワイピング可能なワイピング位置と前記吐出口面をワイピングできない退避位置とに移動可能なワイパーホルダと、前記ワイパーホルダに配され、前記ワイパーホルダを前記ワイピング位置に保持する係止位置と前記ワイパーホルダの係止状態を解除する解除位置とに移動可能な係止部材と、を備え、前記キャリッジが記録領域から第１の位置まで移動することによって前記係止部材が係合部と係合して前記係止位置に移動し、前記キャリッジが前記記録領域から前記第１の位置を越えて第２の位置へ移動することによって前記係合部との係合が解除されて前記係止部材が前記解除位置に移動するインクジェット記録装置であって、前記係止部材に対して回転可能に設けられ、前記キャリッジが前記第２の位置から前記記録領域へ移動するときに、前記係止部材が前記解除位置から前記係止位置へ移動することを規制する規制部材を備えることを特徴とするインクジェット記録装置。
【発明の効果】
【０００７】
以上の構成によれば、インクジェット記録装置において、係止解除を行う部材などの可動部材を、ワイパーを保持する部材側に設けた構成によってワイピング動作の有無を選択的に切り替えることが可能となる。
【図面の簡単な説明】
【０００８】
【図１】本発明の一実施形態に係るインクジェット記録装置を示す斜視図である。
【図２】本発明の他の実施形態に係る記録機構部を示す斜視図である。
【図３】図１に示した本実施形態の記録装置の制御およびデータ処理の構成を示すブロック図である。
【図４】本発明の第１実施形態に係る回復機構部を示す斜視図である。
【図５】第１実施形態のロックレバーの詳細図である。
【図６】第１実施形態のスライダがワイピング位置にいる状態を示す斜視図である。
【図７】第１実施形態のスライダがワイピング位置にいる状態を示す別の斜視図である。
【図８】第１実施形態のスライダが退避位置にいる状態を示す斜視図である。
【図９】第１実施形態のスライダがワイパートリガ位置へ移動した状態を示す斜視図である。
【図１０】第１実施形態のスライダがワイパートリガ位置へ移動した状態を示す正面図である。
【図１１】（ａ）および（ｂ）は、第１実施形態に係るワイピング動作を示すフローチャートである。
【図１２】第１実施形態のスライダがキャッピング位置へ移動した状態を示す斜視図である。
【図１３】第１実施形態のスライダがキャッピング位置からワイピング位置へ移動した状態を示す斜視図である。
【図１４】本発明の第２の実施形態に係るスライダがワイパートリガ位置にいる状態におけるロックレバーまたは解除レバーの状態を示す側面図である。
【図１５】第２の実施形態のスライダがキャッピング位置にいる状態におけるロックレバーあるいは解除レバーの状態を示す側面図である。
【発明を実施するための形態】
【０００９】
以下、図面を参照して本発明の実施形態を詳細に説明する。なお、各図面を通じて同一符号は、同一または対応部分を示すものである。
【００１０】
（第１実施形態）
＜インクジェット記録装置全体の概要＞
図１は、本発明の一実施形態に係るインクジェット記録装置を示す斜視図である。図１に示すように、本実施形態のインクジェット記録装置１１は、給紙部１０１と、搬送部１０２と、記録機構部１０３と、回復機構部１０４と、を備えている。給紙部１０１は、シート（記録媒体）を装置本体内へ供給する。搬送部１０２は、給紙部１０１により供給された記録媒体を搬送する。記録機構部１０３は、画像情報に基づいて動作し、記録媒体に画像を記録する。回復機構部１０４は、記録される画像の品位を保持するために記録ヘッドのインク吐出性能を維持または回復するものである。
【００１１】
記録機構部１０３は、主走査方向に往復移動可能なキャリッジ１２と、キャリッジ１２に着脱自在に搭載された記録ヘッド５と、を有して構成される。キャリッジ１２は、装置本体に設置されたガイドレールに沿って往復移動可能に案内支持されている。キャリッジ１２の往復移動は、キャリッジモータの駆動力がキャリッジベルト１２４を介して伝達することによって行われ、キャリッジに搭載されたエンコーダセンサと装置本体側に張架されたエンコーダスケールによってキャリッジ１２の位置および速度を検出することにより制御される。キャリッジ１２の移動と同期して行われる記録ヘッド５からのインク吐出によって、記録媒体に画像などを記録することができる。
【００１２】
なお、キャリッジ１２には、記録ヘッド５の他、記録ヘッド５へ供給するインクを一時的に収容するサブタンク（不図示）が搭載されている。
【００１３】
図２は、この形態に係る記録機構部１０３を示す斜視図である。図２に示すように、キャリッジ１２には２つの記録カートリッジ３Ａ、３Ｂが搭載されている。各記録カートリッジ３Ａ，３Ｂは、記録ヘッド５とサブタンクとが一体化して構成されたものである。カラー用記録カートリッジ３Ａには複数色のインクを用いて記録を行う記録ヘッド５Ａが設けられている。単色用記録カートリッジ３Ｂには単色のインク（例えばブラック）を用いて記録を行う記録ヘッド５Ｂが設けられている。例えば、記録ヘッド５Ａの吐出口面５１にはシアン、マゼンタおよびイエローの３色のインクを吐出する吐出口列が形成されている。記録ヘッド５Ｂの吐出口面５２にはブラックなどの単色のインクを吐出する吐出口列が形成されている。サブタンク及び記録ヘッド５には、インクタンク１５からチューブで構成されるインク流通路１４を介してインクが供給される。インクタンク１５は、装置本体の前面に配置され、インクの液面を外部から見ることができる。これにより、インクタンク１５は、外部からインク残量を確認することができる。
【００１４】
給紙部１０１に積載された記録媒体は、給紙モータによって駆動される給紙ローラによって１枚ずつ分離されて送り出され、搬送部１０２へと供給される。搬送部１０２に供給された記録媒体は、搬送モータによって駆動される搬送ローラ１２１およびピンチローラ１２２に挟持されることによって、間欠的に搬送され、上述した記録機構によって記録が行われる。記録が行われた記録媒体は、搬送ローラ１２１と同期駆動される排紙ローラおよび拍車に挟持されることによって装置本体外へ排出される。
【００１５】
回復機構部１０４は、記録ヘッド５の吐出口の目詰まり等を解消することで、記録される画像の品位を正常な状態に維持または回復するために備えられている。この回復機構部１０４は、図４などでその詳細が後述されるように、吐出口面をワイピング可能なワイピング機構、吐出口面を覆うためのキャッピング機構、吐出口からインクを吸引するための吸引機構等を備えている。本実施形態の回復機構部１０４は、キャリッジ１２が回復機構部に向かって移動してきたときに、キャリッジ１２の移動に追従して所定の範囲内で移動可能なスライダ（図４など参照）を備えている。スライダ７（ワイパーホルダ）には、ワイピング機構のワイパー８、９およびキャッピング機構のキャップ１Ａ、１Ｂが搭載されている（図４など参照）。
【００１６】
＜インクジェット記録装置の制御構成＞
図３は、図１に示した本実施形態の記録装置の制御およびデータ処理の構成を示すブロック図である。図において、２０１は、各部動作やデータの処理などを制御するＭＰＵを示す。２０２は、ＭＰＵ２０１によって実行されるプログラムやデータを格納するＲＯＭを、２０３は、ＭＰＵ２０１によって実行される処理データ及びホストコンピュータ２１４から受信したデータを一時的に記憶するＲＡＭをそれぞれ示している。
【００１７】
記録ヘッドドライバ２０７を制御することにより記録ヘッド５によるインク吐出を行う。また、キャリッジモータドライバ２０８を制御することにより、キャリッジモータ２０４の駆動を行い、キャリッジ１２を移動させることができる。給紙・搬送モータドライバ２０９を制御することによって搬送モータ２０５の駆動を行い、給紙ローラ、搬送ローラ及び排出ローラの回転を制御する。
【００１８】
ホストコンピュータ２１４は、ユーザによって記録動作の実行が命令された場合に、記録画像や記録画像品位等の記録情報を取りまとめて記録装置と通信するためのプリンタドライバ２１４１を有している。ＭＰＵ２０１は、Ｉ／Ｆ部２１３を介してホストコンピュータ２１４と記録画像等のやり取りを実行する。
【００１９】
図３は、インクジェット記録装置の記録動作概略を示すブロック図である。２０１は、各部動作やデータの処理などを制御するＭＰＵである。２０２は、ＭＰＵ２０１によって実行されるプログラムやデータを格納するＲＯＭである。２０３は、ＭＰＵ２０１によって実行される処理データ及びホストコンピュータ２１４から受信したデータを一時的に記憶するＲＡＭである。
【００２０】
記録ヘッド５からのインク吐出は記録ヘッドドライバ２０７によって制御される。キャリッジ１２を駆動するキャリッジモータ２０４は、キャリッジモータドライバ２０８によって制御される。給紙ローラ１２０および搬送ローラ１２１（同期駆動の排紙ローラ）は給紙・搬送モータ２０５によって駆動される。給紙・搬送モータ２０５は給紙・搬送モータドライバ２０９によって制御される。
【００２１】
ホストコンピュータ２１４には、使用者によって記録動作の実行が命令された場合に、記録画像や記録画像品位等の記録情報を取りまとめて記録装置と通信するためのプリンタドライバ２１４１が設けられている。ＭＰＵ２０１は、Ｉ／Ｆ部２１３を介してホストコンピュータ２１４と記録画像等のやり取りを実行する。
【００２２】
＜回復機構部１０４＞
図４は、本発明の第１実施形態に係る回復機構部１０４を示す斜視図である。スライダ７には、キャリッジ１２の側面と当接する突き当て部７ａが設けられている。これにより、スライダ７は、キャリッジ１２の移動に追従して所定の範囲内で移動することができる。スライダ７上には、ワイパー８、９およびキャップ１Ａ、１Ｂが設けられている。スライダ７が上述のように移動することによって、ワイパー８、９およびキャップ１Ａ、１Ｂは記録ヘッド５から離れるそれぞれの退避位置をとることができる。また、この退避位置から、ワイパー８、９によって記録ヘッド５の吐出口面５１、５２を払拭することが可能なワイピング位置へ、また、キャップ１Ａ、１Ｂによって記録ヘッド５の吐出口面５１、５２を覆うことが可能なキャッピング位置へ、移動することができる。
【００２３】
スライダ７側面には、キャリッジ１２の移動方向と直交（交差）する方向に突出する突出部７ｂが４箇所に設けられている。これらの突出部７ｂは、装置本体に設けられたスライダカム１３ａに当接している。また、スライダ７は、装置本体側とスライダ７との間に張架されたスライダばね１７の一端が取り付けられ、これによって退避位置へ移動するように付勢されている。スライダ７の移動は、装置本体に設けられたスライダカム１３ａのカム面に沿って、４箇所の突出部７ｂがスライドすることにより、キャリッジの移動方向に沿った各位置（退避位置、ワイピング位置、キャッピング位置等）で、吐出口面に対して所定の高さになるように制御される。スライダ７には、カラーインクを吐出する記録ヘッド５の吐出口面を払拭するためのワイパー８と、ブラックインクを吐出する記録ヘッド５の吐出口面を払拭するためのワイパー９が取り付けられている。また、吐出口面をキャッピングするためのキャップ１Ａ、１Ｂが、キャップホルダ２Ａ、２Ｂに取り付けられており、これらのキャップホルダ２Ａ、２Ｂは、４箇所の爪部によってスライダ７に取り付けられている。各キャップホルダ２Ａ、２Ｂとスライダ７との間にはキャップばねが配されており、キャップ１Ａ、１Ｂが取り付けられたキャップホルダ２Ａ、２Ｂは吐出口面に向かって付勢されている。ワイパー８、９およびキャップ１Ａ、１Ｂは、記録領域側からワイパー８、キャップ１Ａ、ワイパー９、キャップ１Ｂの順に配置されている。
【００２４】
図４に示すように、スライダ７には、記録領域側端部における搬送方向下流側の部位に、スライダ７をワイピング位置にロック（係止）するように動作する係止部材として、ロックレバー１６が取り付けられている。ロックレバー１６は、ワイピング位置にスライダ７を係止する係止位置と、スライダ７の係止状態を解除する解除位置と、に回転移動可能に取り付けられている。具体的には、ロックレバー１６は、キャリッジ１２の移動方向と直交（交差）する面内で回転移動可能に支持されており、支持軸１６ｅを中心として回転移動することができる。そして、ロックレバー１６は、それに対してラジアル方向にばね付勢力が作用している。ことにより、ロックレバー１６の位置は、所定値以上の外力トルクが作用しない限り、その付勢力によって回転移動した位置となる。なお、その位置は、図５に示す、ロックレバー１６の突出部１６ｆがスライダ７の一部に当接した位置である。
【００２５】
以上の構成を有するロックレバー１６は、キャリッジ１２の移動によってスライダ７が記録ヘッド５の吐出口面を払拭するためにワイピング位置まで移動してきたときに、スライダ７を装置本体側に係止して、スライダ７の移動を規制する。
【００２６】
装置本体側には、上述のようにロックレバー１６の突出部１６ｆとスライダ７が当接した状態となったときに、ロックレバー１６の先端部１６ａが係合可能な係合部１３ｄが設けられている（図６参照）。ロックレバー１６の先端部１６ａが係合部１３ｄに係止した状態で、ワイピングが行われる。一方、キャリッジ１２には、ロックレバー１６の上端部１６ｂに当接可能なロック解除用の突出部（不図示）が設けられている。このロック解除用の突出部は、キャリッジ１２が記録領域へ向かって移動する際に、ロックレバー１６の上端部１６ｂに当接し、これによってロックレバー１６を時計回りに回転移動させる。その結果、ロックレバー１６の先端部１６ａが係合部１３ｄから離れ、ロックレバー１６による係止状態が解除される。
【００２７】
図７に示すように、装置本体側には、ワイピング位置に固定されたスライダ７のロック状態（ワイパーロック）を解除するための係止解除部１３ｇが設けられている。これにより、ロックレバー１６が係止解除部１３ｇに当接したときに、ロックレバー１６を解除位置に回転移動させる。
【００２８】
図６および図７に示すように、ロックレバー１６には、ワイピング位置に固定されたスライダ７のロック状態を解除するための解除レバー（規制部材）１８が設けられている。解除レバー１８は、キャリッジの移動方向と直交（交差）する面内で回転移動可能に設けられている。すなわち、解除レバー１８は、支持軸１８ｅを有し、その軸を中心として回転移動可能に支持されている。また、解除レバー１８に対してラジアル方向にばね付勢力が作用することにより、所定値以上の外力トルクが作用しない限り、そのばね付勢力により移動させられた位置が保持される。
【００２９】
装置本体側には、規制部１３ｈが設けられており、これにより、スライダ７がワイピング位置に移動したときに、解除レバー１８の先端部１８ａが、ロックレバー１６を係止位置に移動できないようにする係止回避位置から、ロックレバー１６を係止位置に移動できるようにする係止可能位置へ、解除レバー１８が回転移動すること、または上記係止可能位置から、係止回避位置へ解除レバー１８が回転移動すること、を規制することができる。スライダ７がワイピング位置を越えた位置まで移動したとき、解除レバー１８の先端部１８ａは、規制部１３ｈによる規制から解放される。これにより、解除レバー１８の先端部１８ａは、ばね付勢力により係止可能位置から係止回避位置へ回転移動する。そして、その状態のままでスライダ７を記録領域に向かって移動させたときに、解除レバー１８の先端部１８ａは、ワイピング位置において係止可能位置への移動が規制部１３ｈによって規制されるため、ワイピング動作を行うことなくワイパー退避位置へ戻すことができる。
【００３０】
解除レバー１８は、ロックレバー１６および規制部１３ｈと異なる材質としている。これにより、同一材質同士となることによる摺動負荷の増大を回避している。
【００３１】
＜ワイピング動作を実行するときの動作＞
次に、ワイピング動作有り時の動作を詳細に説明する。図８は、スライダ７が退避位置にいる状態を示す斜視図である。記録動作中等に、キャリッジ１２が回復機構部１０４のキャッピング領域へ移動しない状態では、スライダ７は退避位置にあり、ロックレバー１６が、係止位置から時計回りに回転移動された解除位置に位置している。図９は、スライダ７がワイパートリガ位置へ移動した状態を示す斜視図である。図１０は、スライダ７がワイパートリガ位置へ移動した状態を示す正面図である。図１１（ａ）は、ワイピング動作有り時の動作を示すフローチャートである。このフローチャートに示す、特に、キャリッジの移動制御は、ＭＰＵ２０１がキャリッジモータドライバ２０８を介してキャリッジモータ２０４の駆動を制御することによって行う。図１１（ｂ）に示すキャリッジの移動制御も同様である。
【００３２】
キャリッジ１２が、記録領域から回復機構部１０４に向かって移動することにより、キャリッジ１２の側面がスライダ７の突き当て部７ａが当接する。これによって、スライダ７はキャリッジ１２に追従して、キャリッジ１２とともに図１０に示す矢印Ａ方向へ移動する。スライダ７は、この矢印Ａ方向への移動に伴い、スライダカム１３ａのカム面に沿って上昇する。
【００３３】
スライダ７がこの移動をするとき（ステップ４０１；図８）、ロックレバー１６は、ばね付勢力によって、図８に示す反時計回りに回転移動する。そして、ロックレバー１６の先端部１６ａが、装置本体側の係合部１３ｄに係止し、その姿勢が保持される。続いて、キャリッジ１２は、解除レバー１８の先端部１８ａが規制部１３ｈによる規制から解放される前に移動方向を反転する（ステップ４０２；図９）。ここでは、その反転位置を「ワイパートリガ位置」と称する。キャリッジ１２が移動方向を反転すると、スライダ７は、スライダばね１７のばね付勢力によってスライダカム１３ａに沿って移動し、下降し始める。スライダ７が所定量下降すると、ロックレバー１６の先端部１６ａが装置本体側の係合部１３ｄに当接する。これによって、スライダ７は、ワイピング位置で停止する。
【００３４】
キャリッジ１２がワイピング位置からさらに記録領域に向かって移動すると、キャリッジ１２は、スライダ７から離れていくことになる。キャリッジ１２がさらに記録領域に向かって移動したときに、キャリッジ１２に搭載された記録ヘッド５の吐出口面に、スライダ７に設けられたワイパー８、９が摺接し、ワイピング動作が行われる（ステップ４０３）。
【００３５】
キャリッジ１２がさらに記録領域に向かって移動し、ワイパー８、９による吐出口面のワイピング動作が完了した後、キャリッジ１２に設けられた突出部が、ロックレバー１６の上端部１６ｂに当接することにより、ロックレバー１６は支持軸１６ｅを中心として、図８に示す時計回りに回転する。これによって、ロックレバー１６の先端部１６ａが係合部１３ｄから離れ、ロックレバー１６の係止状態が解除される。係止状態が解除されたスライダ７は、スライダばね１７のばね付勢力によってスライダカム１３ａに沿って記録領域寄りの最下部まで移動され、図８に示す退避位置まで戻される。
【００３６】
＜ワイピング動作を実行しないときの動作＞
次に、ワイピング動作無し時の動作を説明する。図１１（ｂ）は、ワイピング動作有り時の動作を示すフローチャートである。また、図１２は、スライダ７がキャッピング位置に向けて移動する状態を示す斜視図である。
【００３７】
図９に示すように、キャリッジ１２がワイパートリガ位置に移動した状態のとき（ステップ５０１；図９）、ロックレバー１６は、係止解除部１３ｇに当接することで時計回りに回転移動させられる。それにより、ロックレバー１６は、先端部１６ａが係合部１３ｄから離れた解除位置に回転移動する。このとき、解除レバー１８の先端部１８ａは、規制部１３ｈによって係止回避位置へ移動することが規制されている（ステップ５０１；図９）。キャリッジ１２が、記録領域に対してワイパートリガ位置よりもさらに奥の位置へ移動すると、解除レバー１８の先端部１８ａは規制部１３ｈによる規制から解放される（ステップ５０２；図１２）。それにより、解除レバー１８の先端部１８ａは、ばね付勢力により図１２に示す時計回りに回転移動させられ、係止可能位置から係止回避位置へ移動する（ステップ５０２；図１２）。そして、キャリッジ１２とともに移動するスライダ７が最上位値（キャッピング位置）まで到達したときに、スライダ７上のキャップ１Ａ、１Ｂが記録ヘッド５Ａ、５Ｂの吐出口面に圧接され、吐出口を覆うキャッピングが行われる。
【００３８】
キャリッジ１２が、キャッピング位置から移動方向を反転して、記録領域に向かって移動し始める（ステップ５０３）。キャリッジ１２が移動方向を反転すると、スライダ７は、スライダばね１７のばね付勢力によってスライダカム１３ａに沿って移動し、下降し始める。このとき、解除レバー１８は、係止回避位置の状態が保持される。
【００３９】
キャリッジ１２が記録領域に向かってさらに移動するのに伴って、スライダ７がワイピング位置に移動したときに、解除レバー１８の先端部１８ａは、規制部１３ｈによって係止可能位置へ回転移動することが規制される（ステップ５０４；図１３）。これにより、スライダ７がワイピング位置に移動したときに、係止されることなくワイピング位置を通過して退避位置へと戻る。最終的に、解除レバー１８は、ワイピング有り時とは別の経路を通って、図８に示す退避位置へ復帰する。
【００４０】
以上により、ワイピング動作の有無を選択的に切り替えることができ、不要なワイピング動作の回避することができる。
【００４１】
（第２実施形態）
図１４（ａ）および図１５（ａ）に示すように、上述した本発明の第１実施形態では、ワイパートリガ位置においてロックレバー１６に対して回動可能に取り付けられた解除レバー１８の先端部１８ａが、規制部１３ｈによって係止可能位置から係止回避位置へ移動することを規制され、これによって、ロックレバー１６に対して反時計回りに回転する。そして、キャッピング位置において解除レバー１８の先端部１８ａは、規制部１３ｈによる規制から解放され、ロックレバー１６に対して時計回りに回転移動し、係止可能位置から係止回避位置へ移動する。
【００４２】
これに対し、本発明の第２の実施形態では、図１４（ｂ）、図１５（ｂ）に示すように、ロックレバー１６が弾性変形部１６ｆを有し、ワイパートリガ位置で、弾性変形部１６ｆが、規制部１３ｈによって係止可能位置から係止回避位置へ移動することを規制されて弾性変形し、キャッピング位置においてその規制から解放されて変形が解消して、係止可能位置から係止回避位置へ移動する、という構成とする。この場合、解除レバー１８および解除レバー１８を付勢する付勢部材が不要であることから、部品点数削減およびそれによるコストダウンが可能となる。
【００４３】
（他の実施形態）
上述した実施形態は、記録ヘッドに供給するインクを収容するインクタンクをキャリッジとは別の箇所（装置本体の前面）に設ける形態としたが、本発明の適用はこの形態に限られない。インクタンク（インクカートリッジ）をキャリッジに対して着脱自在に搭載する形態であっても本発明を適用することができる。
【符号の説明】
【００４４】
１Ａ、１Ｂ    キャップ
５    記録ヘッド
７    スライダ
８、９    ワイパー
１２    キャリッジ
１３ｄ    係合部
１３ｇ    係止解除部
１３ｈ    規制部
１６    ロックレバー
１８    解除レバー
１０３    記録機構部
１０４    回復機構部
【図１】
0006570419.tif 000002
【図２】
0006570419.tif 000003
【図３】
0006570419.tif 000004
【図４】
0006570419.tif 000005
【図５】
0006570419.tif 000006
【図６】
0006570419.tif 000007
【図７】
0006570419.tif 000008
【図８】
0006570419.tif 000009
【図９】
0006570419.tif 000010
【図１０】
0006570419.tif 000011
【図１１】
0006570419.tif 000012
【図１２】
0006570419.tif 000013
【図１３】
0006570419.tif 000014
【図１４】
0006570419.tif 000015
【図１５】
0006570419.tif 000016